(57)【要約】【課題】  ラット、マウス、実験用ビーグル犬、ミニチュア豚のような実験動物の乳房から直接に、かつ短時間で多量の乳を搾乳することのできる改良されたティートカップを得る。【解決手段】  実験動物の乳房６０の形状に対応するようにして内壁面を形成する。内壁面形状を乳房６０よりも幾分大きくしておき、搾乳装置の吸引陰圧によって、特に乳房６０の乳房円錐状隆起部６２と乳頭基址部６３とが内壁面に吸着されるようにする。それより、産仔の吸乳刺激と同様の効果を与えることができ、脳下垂体後葉からのオキシトシン分泌を効果的に促し、短時間でかつ多量の搾乳が可能となる。【選択図】  図１
2005130774.tif 000002
【特許請求の範囲】
【請求項１】
一方側を実験動物の乳房に吸引吸着し、他方側を集乳容器を介して陰圧発生源に接続し、陰圧発生源の吸引拍動により実験動物から集乳容器に搾乳を行うための実験動物用ティートカップであって、
乳房基部の吸着部位となる第１円錐状部と、乳房円錐状隆起部の吸着部位となる第１円錐状部に連続する第２円錐状部と、乳頭基址部の吸着部位となる第２円錐状部に連続する第３円錐状部と、乳頭口が塞がれることがないように乳頭を吸引導入して固定する第３円錐状部に連続する筒状の乳頭保持部と、筒状の乳頭保持部側を陰圧発生源側に接続した集乳容器側に接続するための接続部、とを有しており、第２円錐状部、第３円錐状部および乳頭保持部は、搾乳しようとする実験動物の乳房円錐状隆起部、乳頭基址部および乳頭の実際の大きさよりもわずかに大きく造られていることを特徴とする実験動物用ティートカップ。
【請求項２】
乳頭保持部は乳頭先端が位置することとなる部位近傍に断面積の大きくされた領域を有することを特徴とする請求項１に記載の実験動物用ティートカップ。
【請求項３】
乳頭保持部は先端側が細くなる円錐面をなしていることを特徴とする請求項１に記載の実験動物用ティートカップ。
【請求項４】
全体が透明な材料で造られていることを特徴とする請求項１ないし４のいずれかに記載の実験動物用ティートカップ。
【発明の詳細な説明】
【技術分野】
【０００１】
本発明は実験動物用搾乳装置において用いられる実験動物用ティートカップに関する。
【背景技術】
【０００２】
近年、環境汚染、特に発ガン性物質、内分泌攪乱（化学）物質などの生体に対する有害物質が世界的に大問題となっている。母乳または牛乳を通して生体に及ぼすこれらの有害物質の影響が懸念されている。もし、ラットやマウスのような実験動物の乳をより簡単な方法で採取することが可能であれば、これらの外因性有害物質の生体に及ぼす影響を明らかにする上で有用な手段となる。
【０００３】
しかしながら、ラットやマウスのような比較的小形でありかつ多産系の実験動物は乳頭が小さくまた乳量も少ないことから、有効な搾乳装置は未だ提案されていない。例えば、ラットの乳は、直接乳頭から採取することが困難なため、研究室などでは、授乳させた産仔ラットの胃から採取しているのが普通である。しかし、胃から採取した乳は、唾液および胃液との混合や攪拌によって乳成分の分解および消化が起こっていることが考えられ、本来の乳といえるかどうか疑問がある。
【０００４】
本発明者は、そのように要請に応えるべく、ラットやマウスの乳房から直接的に搾乳できる改良された搾乳装置とそこで用いるティートカップを開発し、すでに出願している（再公表公報ＷＯ０１／０６７０６４号）。この装置を用いることにより、一人の実験者でもって実験動物からの搾乳作業が可能となり、かつ、実験者の個人差に左右されない普遍的な搾乳データを入手することができる。
【０００５】
図６はその装置の一例を示しており、図５はティートカップの一例を示している。この実験動物用搾乳装置は、集乳容器として機能する試験管１０に密封栓１１がしてあり、該密封栓１１には第１のチューブ１２および第２のチューブ１３の一端が試験管１０内に連通する状態で挿入されている。第１のチューブ１２の他端には一例を図５に示すティートカップ２０が交換可能な状態で装着され、また、第２のチューブ１３の他端側は逆流防止体３１、アキュムレータとして機能する負圧タンク３４を介して、真空ポンプ３５に接続している。負圧タンク３４は所要の陰圧状態に維持される。
【０００６】
第２のチューブ１３は第１の分岐管１４ａを有し、そこに圧力センサ５１が備えられる。第２のチューブ１３はさらに下流側に第２の分岐管１４ｂを有し、そこに第１の２方向電磁弁３３Ａが備えられていて、第１の２方向電磁弁３３Ａを開くことにより第２の分岐管１４ｂは大気に開放される。第２の分岐管１４ｂより下流において第２のチューブ１３には第２の２方向電磁弁３３Ｂが備えられ、第２の２方向電磁弁３３Ｂを開くことにより、第２のチューブ１３は負圧タンク３４側に連通する。
【０００７】
コンピュータ５０は圧力センサ５１、第１と第２の電磁弁３３Ａ，３３Ｂおよび真空ポンプ３５との間で情報伝達可能に接続しており、圧力センサ５１からの圧力情報の入力、第１と第２の電磁弁３３Ａ，３３Ｂの開閉タイミングの制御出力、真空ポンプ３５の作動制御の出力などを司る。
【０００８】
搾乳に当たり、第１と第２の電磁弁３３Ａ，３３Ｂを閉じた状態で真空ポンプ３５を運転し、負圧タンク３４内に陰圧を生成する。所定圧が確立した後、第２の電磁弁３３Ｂを開く。それにより、第２のチューブ１３内の空気は負圧タンク３４内に引き込まれ大気圧から所定の陰圧（設定圧）となる。その時点で第２の電磁弁３３Ｂを閉じる。それにより設定した陰圧状態が第２のチューブ１３内に確立されかつ維持されて、ティートカップ２０からの吸引が行われる。その状態を一定時間継続させた後、第１の電磁弁３３Ａを開く。それにより、第２のチューブ１３内は大気に開放された状態となり、圧力は大気圧に戻る。その状態を一定時間継続させた後に第１の電磁弁３３Ａを閉じ、再度第２の電磁弁３３Ｂを開く。以下、このサイクルを設定回数繰り返すことにより、ティートカップ２０の先端には反復して陰圧と大気圧が作用して、所要の搾乳が進行する。
【０００９】
ティートカップ２０は柔らかいゴム製（例えば、シリコンゴム）であり、内径ｄ＝４ｍｍ程度，外径Ｄ＝７ｍｍ程度、高さｈ＝４ｍｍ程度の全体として先端を頂面部分（ライナー）２１ａで閉鎖した円筒形状をなす。この例では、図示のように、先端を傾斜面１２ａとした第１のチューブ１２の先端がティートカップ２０の外嵌部分２１ｂに差し込まれる。ティートカップ２０の頂面部分２１ａは母ラットの乳房が接する裏打ち部分であり、厚みｂ＝０．４ｍｍ程度である。そして、その中央部にはラットの乳頭が入り込む、先端側の直径ｃ１＝１．８ｍｍ、後端側の直径ｃ２＝１．５ｍｍ程度円錐形をなす挿入孔２２が形成されている。
【００１０】
このティートカップ２０では、頂面部分（ライナー）２１ａの挿入孔２２が搾乳期（到達真空度期、吸引期）に、図５で仮想線に示すように、大きく開口し乳頭から乳が吸い出される。吸引された乳は第１のチューブ１２を通って試験管１０に貯められる。この頂面部分２１ａに形成した挿入孔２２は、休止期（前記した陰圧が掛かっていない到達大気圧期、大気圧期・マッサージ期）には、自己の復元力によって小さく（すなわち、図５に実線で示す元の姿勢に）閉ざされる。
【００１１】
この形態のティートカップを用いることにより、ラットやマウスのような比較的小形でありかつ多産系の実験動物の乳頭から直接搾乳することが可能となり、そのために、乳を介した外因性有害物質の生体に及ぼす影響などを明らかにする上で、特に有用な手段となる。
【００１２】
【特許文献１】再公表公報Ｏ０１／０６７０６４号
【発明の開示】
【発明が解決しようとする課題】
【００１３】
本発明者らは、上記した搾乳装置とティートカップを用いて、ラットとマウスから、さらには実験用ビーグル犬やミニチュア豚の搾乳を多回数にわたって行い、良好な結果を得ているが、その過程を通して、ティートカップの形状を当該実験動物の乳房乳頭との関係からさらに工夫することにより、より短時間でより多くの搾乳量を得られることを実験的に確認した。
【００１４】
また、ほぼ同じ条件で搾乳しているにもかかわらす、実験を行う者によって搾乳量が極端に少なくなる場合があることも経験した。これについては、その原因を追及することにより、実験動物の乳頭にティートカップを取り付けるときに、図４に示すような乳頭の折れ曲がり現象が生じていることを確認した。すなわち、図５に示した形状のティートカップの場合、搾乳時に主に乳房６０の乳頭６４の部分のみが単に円筒状である第１のチューブ１２内に吸引されるために、作業者の巧拙により乳頭先端部６５が折れ曲がった状態となってしまうことがあり、それが、搾乳量の減少、搾乳時間の延長をもたらしていた。
【００１５】
本発明は、上記のような事情に鑑みてなされたものであり、実験動物の乳房乳頭からより短時間でより多くの量の搾乳を、かつ個人差のない状態で行うことのできる改良された実験動物用ティートカップを提供することを目的とする。
【課題を解決するための手段】
【００１６】
本発明による実験動物用ティートカップは、一方側を実験動物の乳房に吸引吸着し、他方側を集乳容器を介して陰圧発生源に接続し、陰圧発生源の吸引拍動により実験動物から集乳容器に搾乳を行うための実験動物用ティートカップであって、乳房基部の吸着部位となる第１円錐状部と、乳房円錐状隆起部の吸着部位となる第１円錐状部に連続する第２円錐状部と、乳頭基址部の吸着部位となる第２円錐状部に連続する第３円錐状部と、乳頭口が塞がれることがないように乳頭を吸引導入して固定する第３円錐状部に連続する筒状の乳頭保持部と、筒状の乳頭保持部側を陰圧発生源側に接続した集乳容器側に接続するための接続部、とを有しており、第２円錐状部、第３円錐状部および乳頭保持部は、搾乳しようとする実験動物の乳房円錐状隆起部、乳頭基址部および乳頭の実際の大きさよりもわずかに大きく造られていることを特徴とする。
【００１７】
本発明による実験動物用ティートカップは、本発明者が実験と研究をとおして得た次のような知見に基づいている。すなわち、ラットやマウスは仮乳頭であり、図１ａの左図に示すように、授乳および搾乳時以外は、通常、乳頭６４を取り囲んで輪状に隆起した層（以下、乳房円錐状隆起部６２）の中に埋没しているが、搾乳時に、乳頭６４は搾乳装置の吸引陰圧によってそこから引き出されて、図１ａの右図のようになる。そして、搾乳に際し、搾乳装置の吸引陰圧によって、乳房基部６１、乳房円錐状隆起部６２、乳房円錐状隆起部６２と乳頭６４の付け根部分である乳頭基址部６３、および乳頭６４とを適切に吸引吸着し、搾乳装置の吸引拍動に伴って、特に乳房円錐状隆起部６２および乳頭基址部６３に産仔の吸乳刺激と同様の効果を与えることにより、乳汁分泌に不可欠であると考えられる脳下垂体後葉からのオキシトシン分泌を効果的に促すようになることを知見した。上記のことは、ビーグル犬やミニチュア豚のように真乳頭で常時乳頭を露出している実験動物の場合もほぼ同様であった。
【００１８】
上記のように、本発明によるティートカップでは、乳房基部、乳房円錐状隆起部、乳頭基址部の吸引部位となる第１、第２、第３円錐状部を備え、かつ、乳頭に相当する乳頭保持部とを備えており、そこに、搾乳装置の陰圧発生源からの吸引拍動が伝えられる。さらに、第２円錐状部、第３円錐状部および乳頭保持部は、搾乳しようとする実験動物の乳房円錐状隆起部、乳頭基址部および乳頭の実際の大きさよりもわずかに大きく造られており、非吸引時にはそれぞれの部位の内壁面との間にわずかな隙間が形成され、吸引時には内壁面に吸着されるようになる。そのために、特に乳房円錐状隆起部および乳頭基址部に産仔の吸乳刺激と同様の効果を与えることができ、結果として、脳下垂体後葉からのオキシトシン分泌を効果的に促し、短時間でかつ多量の搾乳が可能となると推測される。
【００１９】
本発明の実験動物用ティートカップにおいて、乳頭保持部は搾乳しようとする実験動物の乳頭先端が位置することとなる部位近傍に断面積の大きくされた領域を設けることは効果的である。前記したように、ラットやマウスのような仮乳頭の場合、乳頭頂点に開口する乳頭口は１つであり、乳腺からの導管は、まず乳槽（乳管洞）に集まって開口し、次いで乳頭管を通じて乳頭口に連絡しているが、このような実験動物での乳頭は細く柔らかいものであり、搾乳時に乳頭が搾乳装置の吸引陰圧によって引き出されるときに、作業者の巧拙により、図４に示したように先端に折れ曲がりが生じる恐れがある。上記した「断面積の大きくされた領域」はそのような折れ曲がりが生じるのを回避するものであり、作業者の個人差による搾乳量の変化を効果的になくすことができる。
【００２０】
本発明の実験動物用ティートカップにおいて、乳頭保持部を先端側が細くなる円錐面をなすようにすることも、好ましい態様である。ビーグル犬やミニチュア豚は真乳頭であり乳頭頂点に開口する複数の乳孔を持ち、乳腺からの導管は直接乳孔に開口している。本発明者らの実験では、このように真乳頭の実験動物の場合、搾乳時にティートカップを装着するときに、乳頭保持部内に先端が折れ曲がって装着されるようなことはなかったが、乳頭保持部が径の等しい円筒体である場合に、やや搾乳量が低下することを経験した。これは、先端部に内壁面との間に隙間が生じているのが一因と考え、上記のように乳頭保持部を先端側が細くなる円錐面として実験を継続したところ、より高い搾乳量が得られた。上記構成の実験動物用ティートカップはこのような実験結果に基づいている。
【００２１】
本発明の実験動物用ティートカップにおいて、全体が透明な材料で造られていることも好ましい態様である。具体的には、透明なシリコンゴム、ポリプロピレンなどの材料が好適である。このような材料を用いることにより、ティートカップ内での乳房の状態を容易に目視することができ、不都合が生じたときの対処を迅速化できる。また、これらの材料は高い耐熱性を持つので、高圧滅菌処理も容易に行うことができる。
【発明の効果】
【００２２】
本発明による実験動物用ティートカップを用いることにより、ラット、マウス、実験用ビーグル犬、ミニチュア豚のような実験動物の乳房から直接に、かつ短時間で多量の乳を搾乳することが可能となる。このティートカップを、本発明者が既に提案している再公表Ｏ０１／０６７０６４号に記載の搾乳装置と共に用いることにより、乳を介した外因性有害物質の生体に及ぼす影響などの解明に大きく寄与することができる。
【発明を実施するための最良の形態】
【００２３】
以下、本発明による実験動物用ティートカップのいくつかの例について図面を参照して説明する。図１ｂはその第１の形態を示しており、図１ｃは図１ｂに示す実験動物用ティートカップを用いてラットから搾乳している状態を示している。
【００２４】
このティートカップ７０は全体が透明なシリコンゴムで作られており、後端に図６を用いて前述した搾乳装置の第１のチューブ１２の先端が挿入される。もちろん、図６に示した装置は搾乳装置の１つの例であって、これに限られない。ティートカップ７０は、例えば図１ａに示すラットのように仮乳頭の乳房６０での乳房基部６１の吸着部位となる第１円錐状部７１と、乳房円錐状隆起部６２の吸着部位となる第２円錐状部７２と、乳頭基址部６３の吸着部位となる第３円錐状部７３と、仮乳頭６４を吸引導入して固定するための筒状の乳頭保持部７４とを備える。第１円錐状部７１の領域は搾乳口でその先端部分が最も薄く柔軟性があり、第２円錐状部７２と共に搾乳装置の吸引陰圧によって乳房基部６１および乳房円錐状隆起部６２を吸引吸着して、産仔の吸乳刺激と同様の刺激効果を与える。
【００２５】
乳頭保持部７４の他端側は前記した搾乳装置側のチューブ１２が挿入される大きさの大径部７６とされており、その部分が、搾乳装置側の陰圧発生源側に接続した集乳容器側に接続するための接続部となる。また、この例において、乳頭保持部７４は、乳頭６４の先端６５が位置することとなる部位に断面積の大きくされた大径領域７５を有している。
【００２６】
搾乳時に、ラットの仮乳頭６４は、前記入り込んだ状態からティートカップ７０に生じる陰圧によって引き出され、図１ｃに仮想線で示す状態となる。その際に、乳頭６４の先端６５が位置することとなる部位には、前記のように断面積の大きくされた大径領域７５が形成されているので、乳頭の先端が折れ曲がってしまうのを効果的に回避できる。また、第２円錐状部７２、第３円錐状部７３および乳頭保持部７４は、引き出された乳房円錐状隆起部６２、乳頭基址部６３および乳頭６４の大きさよりもいくぶん大きく造られており、両者間にはわずかな隙間Ｓが残っている。
【００２７】
吸引陰圧が作用することにより、乳房は図１ｃに実線で示す大きさとなり、ティートカップ７０の内周壁に密着する。そして、ティートカップ７０内が大気圧となることにより、仮想線で示す大きさに戻る。この繰り返しにより、搾乳が進行する。後記する実施例に示すように、この形態のティートカップ７０では、乳房の乳房円錐状隆起部６２と乳頭基址部６３に産仔の吸乳刺激と同様の効果を与えることができ、脳下垂体後葉からのオキシトシン分泌を効果的に促し、短時間でかつ多量の搾乳が可能となる。
【００２８】
図１ｄは実験動物がマウスである場合での、図１ｃに相当する図である。マウスの場合は乳頭６４の先端が尖ったようになっているが、搾乳時の状態は図１ｃに示すラットの場合と同様である。
【００２９】
図２は、他の形態の実験動物用ティートカップ８０を示す。このティートカップ８０はミニチュア豚用のものであり、ポリプロピレン製の先端部分８０ａと透明なシリコンゴム製の後端部分８０ｂとで構成される。先端部分８０ａは真乳頭９４を持つミニチュア豚の乳房９０（図３ａも参照）の乳房基部９１の吸着部位となる第１円錐状部８１と、乳房円錐状隆起部９２の吸着部位となる第２円錐状部８２を形成し、後端部分８０ｂは、乳頭基址部９３の吸着部位となる第３円錐状部８３と、真乳頭９４を吸引導入して固定するための次第に先細円錐面形状となった乳頭保持部８４とを備える。全体を同一の部材で構成してもよい。
【００３０】
乳頭保持部８４の他端側は前記した搾乳装置側のチューブ１２が嵌合する大きさの小径部８６とされており、その部分が、搾乳装置側への接続部となる。また、この例において、乳頭保持部８４の先端側には複数の乳孔９５から同時に吸出された乳を一時的に貯留するための空所８５有している。
【００３１】
このティートカップ８０においても、ティートカップ８０をミニチュア豚の真乳頭９４に取り付けたときの乳房９０の大きさが図３ａに仮想線で示されるように、第２円錐状部８２、第３円錐状部８３および乳頭保持部８４は、ミニチュア豚の乳房９０の乳房円錐状隆起部９２、乳頭基址部９３および乳頭９４の大きさよりもいくぶん大きく造られており、両者間にはわずかな隙間Ｓが残っている。
【００３２】
吸引陰圧が作用することにより、乳房９０は図３ａに実線で示す大きさとなり、ティートカップ８０の内周壁に密着する。そして、前記ティートカップ７０の場合と同様、ティートカップ８０内が大気圧となることにより、仮想線で示す大きさに戻る。この繰り返しにより搾乳が進行し、後記する実施例に示すように、乳房９０の乳房円錐状隆起部９２と乳頭基址部９３に産仔の吸乳刺激と同様の効果を与えることができる。それにより、脳下垂体後葉からのオキシトシン分泌を効果的に促し、短時間でかつ多量の搾乳が可能となる。
【００３３】
図３ｂはビーグル犬用のティートカップ８０Ｂを示す図３ａに相当する図であり、ビーグル犬の乳房９０ａにあわせて、長さがやや短くされている。図３ｃはさらに長さが短くされたティートカップ８０Ｃであり、実験動物の乳房に大きさにあわせて、それぞれ作られる。
【実施例】
【００３４】
以下、実施例により本発明を説明する。
［実施例１］
図１に示す形態の実験動物用ティートカップ７０を使用し、搾乳にはＳＤラットおよびＩＣＲマウスを用いた。実際に使用したティートカップの各部の寸法は図７に示される。分娩後１４日目の搾乳時における初産ラットの乳頭６４の直径は、１．６ｍｍから１．８ｍｍ、長さ（乳頭と乳房の付け根の部分（乳頭基址部６３）からその先端まで）は、５．５ｍｍから６．２ｍｍで、乳頭の先端は剣先状に尖り、その頂点に乳頭口がある。乳房円錐状隆起部６２の直径は、３．０ｍｍから４．５ｍｍ、高さ１．５ｍｍから１．８ｍｍであった。分娩後１４日目の搾乳時における初産マウスの乳頭６２の直径は、その全長の約半分のところまで１．５ｍｍから１．８ｍｍ、そこから先は槍先状に鋭く尖り、乳頭基址部６３からその先端までの長さは、５．５ｍｍから６．３ｍｍで、その頂点に乳頭口がある。乳房円錐状隆起部６２の直径は、３．０ｍｍから４．５ｍｍ、高さ１．４ｍｍから１．９ｍｍであった。なお、乳輪は、ラットおよびマウスにおいては色彩的に肉眼では観察出来なかった。
【００３５】
ラットおよびマウスの乳頭が、授乳および搾乳時以外通常、乳房円錐状隆起部中に埋没している理由については、漏乳防止、および今回その部位を吸引刺激することによって搾乳に成功したことから乳輪として作用していると考えられる。
【００３６】
・成績
搾乳成績は、表１に示した。ラットおよびマウスは、飼育条件を一定にするため分娩後
４日目で雄：４、および雌：４、計８匹に調整した。搾乳は、ラットおよびマウスの最大泌乳期である分娩後１４日に行った。当日朝８時に８匹の産仔を母親から分離、午後４時にオキシトシン１単位を皮下注射し、エーテルで軽く吸入麻酔しながら搾乳を行った。
【００３７】
［搾乳条件］
・ミルカー：実験動物用搾乳機（リトルレオナルド、ＷＡＴ−２００１）（これは、図４に基づき先に説明したとほぼ同じ構成のものである）。
・吸引圧力：−１４０ｍｍＨｇ
・拍動数：６０／分
・拍動比＝６０％
・搾乳量：授乳している全乳頭からの合計
【００３８】
なお、新ティートカップを用いた分娩後１４日のラットにおける平均搾乳量：４．５３±１．１１（３．１０〜６．９２）ｇ（母ラットの数＝１０例）は、同一搾乳条件下で旧ティートカップ（図５に基づき説明したティートカップ）を用いた同ラットにおける平均搾乳量：３．９９±１．２２（２．０５〜６．２１）ｇ（母ラットの数＝１５例）に比較して、明らかに増加した。また、旧ティートカップを用いた場合の搾乳時間は、約５０〜６０分であったのに対し、新ティートカップを用いた場合、搾乳時間は、３０〜４０分に短縮できた。
【００３９】
【表１】
2005130774.tif 000003
【００４０】
［実施例２］
図２、図３に示す形態の実験動物用ティートカップ８０を使用し、搾乳には実験用ビーグル犬およびポットベリー種ミニチュア豚を用いた。分娩後１５日目の搾乳時における初産ビーグル犬の乳頭の直径は、４．０ｍｍから８．５ｍｍ、長さ（乳頭と乳房の付け根の部分（以下；乳頭基址部）からその先端まで）は、８．０ｍｍから２２．０ｍｍで、乳頭の先端は比較的平坦でそこに乳孔がある。乳孔の数は、１乳頭当たり４から６であった。分娩後２０日目の搾乳時における初産ミニチュア豚の乳頭の直径は、３．５ｍｍから１０．５ｍｍ、長さは８．５ｍｍから２８．０ｍｍで、先端はより平坦でそこに乳孔がある。乳孔の数は、１乳頭当たり２、稀に３であった。なお、乳輪は、ビーグル犬およびミニチュア豚においては、色彩的に肉眼では観察できなかった。しかし、乳房から乳頭基址部に至る円錐状に隆起している部位（以下：乳房円錐状隆起部）を吸引刺激することによって今回搾乳に成功したことから、その部位が乳輪として作用しているものと考えられる。ビーグル犬における乳房円錐状隆起部の直径は、２２ｍｍから３５ｍｍ、高さ４．０から１０．０ｍｍであった。ミニチュア豚における乳房円錐状隆起部の直径は、２０ｍｍから３２ｍｍ、高さ５．０ｍｍから１２．０ｍｍであった。
【００４１】
なお、図２に示すティートカップ８０において、特に、乳房円錐状隆起部９２の吸着部位となる第２円錐状部８２のの長さ：約１０ｍｍ、および乳頭基址部９３の吸着部位となる第３円錐状部８３の傾斜角度：１２０°〜１３０°、厚さ２．５ｍｍから４．０ｍｍとして、実験を行った。
【００４２】
ビーグル犬およびミニチュア豚において、乳頭基址部９３の吸着部位となる第３円錐状部８３で形成される段差は重要であり、第３円錐状部８３がない場合おける搾乳量は、第３円錐状部８３のあるものに比較して半分以下であった。さらに、第２円錐状部、第３円錐状部および乳頭保持部を、搾乳しようとする実験動物の乳房円錐状隆起部、乳頭基址部および乳頭の実際の大きさよりも大きくすることは、ビーグル犬およびミニチュア豚において特に有効であった。
【００４３】
実験用ビーグル犬およびミニチュア豚の乳房乳頭の形体は、大きさに多少差があるものの、本質的な差異は認められず、ビーグル犬およびミニチュア豚用ティートカップとして兼用が可能であった。ただし、犬および豚共に乳頭の大きさは、個々において、さらに、同一固体においても差が認められたため、構造的には同じで、大きさの異なるティートカップを数種類作製し、それらを用いて搾乳を行った。
【００４４】
［成績］
（１）ビーグル犬
搾乳成績は、表２に示した。搾乳は、分娩後４日および１５日に行った。産仔を母親から５時間分離後、オキシトシン２単位を皮下注射した。約５分後から搾乳を開始した。
【００４５】
［搾乳条件］
・ミルカー：実験動物用搾乳機（リトルレオナルド、ＷＡＴ−２００１）（これは、図４に基づき先に説明したとほぼ同じ構成のものである）。
・吸引圧力：ビーグル犬；−１６０ｍｍＨｇ
・拍動数：６０／分
・拍動比：６０％
・搾乳量：上から３対目の右または左側の１乳頭からの搾乳量（ｇ）
（５対１０乳頭の中で１乳頭だけから搾乳した理由：搾乳量が多かったため。３対目の右または左側の１乳頭からの搾乳した理由：３対または４対目の乳房が肉眼的に最も張っていたので便宜上、上から３番目の乳頭から搾乳した。また、その３対目の右または左側何れか一方の乳頭から搾乳した理由は、今回搾乳に用いた母犬の産仔数が４から７匹であったので、必ずしも３対目の両側の乳頭を授乳しているとは限らなかったためである。）
【００４６】
（２）ミニチュア豚
搾乳成績は、表３に示した。搾乳は、分娩後１５日に行った。産仔を母親から５時間分離後、オキシトシン２単位を皮下注射した。約５分後から搾乳を開始した。
【００４７】
［搾乳条件］
・ミルカー：実験動物用搾乳機（リトルレオナルド、ＷＡＴ−２００１）（これは、図４に基づき先に説明したとほぼ同じ構成のものである）。
・吸引圧力：ミニチュア豚−１８０ｍｍＨｇ
・拍動数：６０／分
・拍動比：６０％
・搾乳量：上から３〜５対目の右または左側の１乳頭からの搾乳量（ｇ）
（理由については大略、犬と同様である。ただし、今回用いた豚の乳頭は、６から８対、１２から１６、産行数は、４から６頭であった。）
【００４８】
【表２】
2005130774.tif 000004
【００４９】
【表３】
2005130774.tif 000005
【図面の簡単な説明】
【００５０】
【図１】図１ａはラットの乳房を説明する図であり、図１ｂはラットから搾乳するためのティートカップの一例を示す図である。また、図１ｃはラットを搾乳している状態を説明する図であり、図１ｄはマウスを搾乳している状態を説明する図１ｃに相当する図である。
【図２】他の形態のティートカップを示す斜視図（ａ）とｂ−ｂ線による断面図（ｂ）。
【図３】図３ａは図２に示すティートカップを用いてミニチュア豚を搾乳している状態を説明する図であり、図３ｂは類似した形態のティートカップを用いてビーグル犬を搾乳している状態を説明する図であり、図３ｃはさらに他の類似した形態のティートカップを示している。
【図４】従来用いられていたティートカップを用いて仮乳頭の実験用小動物から搾乳したときに生じる失敗例を説明する図。
【図５】従来用いられていたティートカップを説明する図。
【図６】本発明者が提案している実験動物用搾乳装置を説明する図であり、本発明のティートカップもこの搾乳装置と共に好適に用いられる。
【図７】実施例１で使用したティートカップの各部の寸法を示す図。
【符号の説明】
【００５１】
６０…乳房、６１…乳房基部、６２…乳房円錐状隆起部、６３…乳頭基址部、６４…乳頭、６５…乳首の先端、７０…ティートカップ、７１…乳房基部の吸着部位となる第１円錐状部、７２…乳房円錐状隆起部の吸着部位となる第２円錐状部、７３…乳頭基址部の吸着部位となる第３円錐状部、７４…乳頭を固定するための筒状の乳頭保持部、７５…乳頭の先端が位置することとなる断面積の大きくされた大径領域、７６…搾乳装置側のチューブが挿入される大きさの大径部
【図１】
2005130774.tif 000006
【図２】
2005130774.tif 000007
【図３】
2005130774.tif 000008
【図４】
2005130774.tif 000009
【図５】
2005130774.tif 000010
【図６】
2005130774.tif 000011
【図７】
2005130774.tif 000012